(57)【要約】      （修正有）【課題】汗腺の破壊を迅速且つ確実に行うことができる発汗抑制装置を提供する。【解決手段】電極針１０を移動可能に保持すると共に電極針１０が貫通孔２８に挿入可能となるように冷却部材２０を支持する支持体３０と、冷却部材２０の冷却部２４と被穿刺部位との当接状態を検知する当接検知手段２９と、電極針１０を進退させることにより先端部１０ａを冷却部２４から出没させる駆動手段４０と、駆動手段４０の駆動を制御する制御手段とを備え、制御手段は、冷却部２４を被穿刺部位に当接させた状態で、駆動手段４０の駆動により電極針１０を冷却部２４から徐々に突出させ、電極針１０の突出量の増加に伴い冷却部２４が被穿刺部位の表面から離れたことを当接検知手段２９の検知に基づき判定し、このときの電極針１０の突出量から最大深さ情報を取得する発汗抑制装置１である。【選択図】図２
2017086096.tif 000002
【特許請求の範囲】
【請求項１】
汗腺を含む被穿刺部位に穿刺して先端部から熱エネルギーを供給する電極針と、
表面側に冷却部を有し前記電極針を挿通可能な貫通孔が形成された冷却部材と、
前記電極針を移動可能に保持すると共に前記電極針が前記貫通孔に挿入可能となるように前記冷却部材を支持する支持体と、
前記冷却部と被穿刺部位との当接状態を検知する当接検知手段と、
前記貫通孔に挿入された前記電極針を進退させることにより前記先端部を前記冷却部から出没させる駆動手段と、
前記駆動手段の駆動を制御する制御手段とを備え、
前記制御手段は、前記冷却部を被穿刺部位に当接させた状態で、前記駆動手段の駆動により前記電極針を前記冷却部から徐々に突出させ、前記電極針の突出量の増加に伴い前記冷却部が被穿刺部位の表面から離れたことを前記当接検知手段の検知に基づき判定し、このときの電極針の突出量から最大深さ情報を取得する発汗抑制装置。
【請求項２】
前記制御手段は、取得した前記最大深さ情報に基づいて複数の加熱深さ位置を設定し、それぞれの前記加熱深さ位置において前記電極針から熱エネルギーを供給する請求項１に記載の発汗抑制装置。
【請求項３】
前記当接検知手段は、前記冷却部に複数配置されており、
前記制御手段は、全ての前記当接検知手段から非当接信号が入力されたときに、前記冷却部が被穿刺部位の表面から離れたことを判定する請求項１または２に記載の発汗抑制装置。
【発明の詳細な説明】
【技術分野】
【０００１】
本発明は、人体の過剰な発汗を抑制する発汗抑制装置に関する。
【背景技術】
【０００２】
アポクリン汗腺やエクリン汗腺からの過剰な汗の分泌は、腋臭症（わきが）や多汗症の原因になり易いため、過剰な発汗を抑制する治療方法が従来から検討されている。例えば、特許文献１には、電極針と、電極針を挿通可能な貫通孔が形成された冷却部材とを備え、冷却部材の冷却部を表皮表面に密着させて冷却しながら電極針を冷却部から突出させて穿刺し、汗腺を加熱して破壊する発汗抑制装置が開示されている。
【先行技術文献】
【特許文献】
【０００３】
【特許文献１】国際公開第２０１３／１６４９９６号パンフレット
【発明の概要】
【発明が解決しようとする課題】
【０００４】
ところで、破壊対象となる汗腺は、真皮から皮下組織にかけて種々の深さ位置に存在するが、真皮や皮下組織の厚みは、個人差があるだけでなく人体の部位によっても異なるため、汗腺を確実に破壊するためには、真皮や皮下組織の厚みに応じて穿刺深さを徐々に変えながら、深さ方向の全体にわたって加熱する必要がある。
【０００５】
ところが、穿刺部位における汗腺の深さ領域を事前に把握することは困難であることから、治療に際しては、皮下組織等の厚みが薄い部分に合わせて、電極針から供給する熱エネルギーを抑制しながら細かい間隔で穿刺深さを調整する必要がある。このため、皮下組織等が厚い部分の治療に時間がかかるおそれがあり、治療を効率良く行う点で更に改良の余地があった。
【０００６】
そこで、本発明は、汗腺の破壊を迅速且つ確実に行うことができる発汗抑制装置の提供を目的とする。
【課題を解決するための手段】
【０００７】
本発明の前記目的は、汗腺を含む被穿刺部位に穿刺して先端部から熱エネルギーを供給する電極針と、表面側に冷却部を有し前記電極針を挿通可能な貫通孔が形成された冷却部材と、前記電極針を移動可能に保持すると共に前記電極針が前記貫通孔に挿入可能となるように前記冷却部材を支持する支持体と、前記冷却部と被穿刺部位との当接状態を検知する当接検知手段と、前記貫通孔に挿入された前記電極針を進退させることにより前記先端部を前記冷却部から出没させる駆動手段と、前記駆動手段の駆動を制御する制御手段とを備え、前記制御手段は、前記冷却部を被穿刺部位に当接させた状態で、前記駆動手段の駆動により前記電極針を前記冷却部から徐々に突出させ、前記電極針の突出量の増加に伴い前記冷却部が被穿刺部位の表面から離れたことを前記当接検知手段の検知に基づき判定し、このときの電極針の突出量から最大深さ情報を取得する発汗抑制装置により達成される。
【０００８】
この発汗抑制装置において、前記制御手段は、取得した前記最大深さ情報に基づいて複数の加熱深さ位置を設定し、それぞれの前記加熱深さ位置において前記電極針から熱エネルギーを供給するように構成することが好ましい。
【０００９】
また、前記当接検知手段は、前記冷却部に複数配置されていることが好ましく、前記制御手段は、全ての前記当接検知手段から非当接信号が入力されたときに、前記冷却部が被穿刺部位の表面から離れたことを判定することが好ましい。
【発明の効果】
【００１０】
本発明によれば、汗腺の破壊を迅速且つ確実に行うことができる発汗抑制装置を提供することができる。
【図面の簡単な説明】
【００１１】
【図１】本発明の一実施形態に係る発汗抑制装置の側面図である。
【図２】図１に示す発汗抑制装置のＡ−Ａ断面図である。
【図３】図１に示す発汗抑制装置の変形例を示す底面図である。
【図４】図１に示す発汗抑制装置の使用方法を説明するための断面図である。
【図５】図１に示す発汗抑制装置の使用方法を説明するための断面図である。
【図６】本発明の他の実施形態に係る発汗抑制装置の側面図である。
【図７】図６に示す発汗抑制装置のＥ−Ｅ断面図である。
【図８】図７に示す発汗抑制装置の使用状態を示す断面図である。
【発明を実施するための形態】
【００１２】
以下、本発明の実施の形態について、添付図面を参照して説明する。図１は、  本発明の一実施形態に係る発汗抑制装置の側面図であり、図２は、図１のＡ−Ａ断面図である。図１および図２に示すように、発汗抑制装置１は、電極針１０、冷却部材２０、支持体３０および駆動装置４０を主な構成要素として備えている。
【００１３】
電極針１０は、例えばステンレス等の導電性を有する金属材料からなり、先端部１０ａが穿刺可能となるように先細に形成されている。電極針１０における先端部１０ａ以外の部分は、電気絶縁性材料からなる絶縁膜１０ｂにより覆われている。電極針１０は、複数がマトリクス状に配置されて、矩形板状のホルダ１２に固定されている。電極針１０の個数は特に限定されるものではなく、単一であってもよい。電極針１０を複数配置する場合は、例えば２０〜３０針程度（またはそれ以上）を配置することが好ましく、隣接する電極針１０の間隔を、例えば０．５〜３ｍｍ（より好ましくは１〜３ｍｍ）程度に設定することが好ましい。各電極針１０の太さは、例えば０．１〜０．３ｍｍ程度が好ましい。複数の電極針１０の配置形状は、マトリクス状以外に、環状や多角形状等の種々の形状であってもよい。ホルダ１２は、プラスチック材料等からなり、中央に凹部１２ａが形成されている。凹部１２ａの内周面には、弾性変形可能な係合突起１２ｂが設けられている。電極針１０の先端部１０ａは、皮膚および皮下組織は貫通するが、皮下組織と筋層との間の膜組織部は貫通しない鈍針状に形成されており、これによって、汗腺が存在する可能性がある深さ領域のみを安全に穿刺することができる。
【００１４】
冷却部材２０は、ペルチェ素子２２と、冷却板２４と、放熱ブロック２６とを備えている。ペルチェ素子２２は、ｐ型半導体およびｎ型半導体を熱的に並列に配置した公知の構成であり、ペルチェ素子２２の吸熱側に冷却板２４が設けられ、ペルチェ素子２２の発熱側に放熱ブロック２６が設けられている。ペルチェ素子２２は、適宜の大きさのものが複数マトリクス状に配置されている。冷却板２４および放熱ブロック２６は、複数のペルチェ素子２２の隙間に複数の開口２４ａ，２６ａが形成されており、互いに対向する開口２４ａ，２６ａによって、冷却部材２０の表裏面を貫通する複数の貫通孔２８が形成されている。冷却板２４は、表面側に平面状の冷却部２４ｂを有しており、冷却部２４ｂを人体の表皮等に密着させることができる。冷却部２４ｂは、平面状以外に、円弧状や波状の湾曲面状にすることもできる。冷却部材２０は、上記のように通電により冷却する構成以外に、例えば、冷媒が通過する冷却配管が埋蔵された構成等であってもよい。更に、冷却部材２０は、上記のように人体の表皮に密着させて冷却する構成以外に、例えば、表皮に冷却ガスを噴射して冷却する構成であってもよい。冷却部材２０の貫通孔２８は、ハニカム状、メッシュ状、スリット状など種々の形状であってもよい。冷却部材２０に形成される貫通孔２８は、必ずしも複数の電極針１０に個別に対応させる必要はなく、１つの貫通孔２８に複数の電極針１０が挿入される構成であってもよい。この場合、図３に底面図で示すように、冷却部材２０に貫通孔２８を長孔状に形成し、２つの電極針１０が、貫通孔２８の長手方向の両端縁部をそれぞれ通過するように、各電極針１０をホルダ１２に固定してもよい。この構成によれば、貫通孔２８への各電極針１０の挿通を容易にしつつ、貫通孔２８の内周面が各電極針１０の進退を案内することができるため、表皮表面の穿刺をより確実に行うことができる。
【００１５】
冷却部２４ｂは、略中央における開口２４ａを避けた表面に、人体の表皮などの被穿刺部位と冷却部２４ｂとの当接状態を検知する当接検知センサ２９が設けられている。当接検知センサ２９は、厚みが薄い（例えば、０．１ｍｍ程度）圧力センサからなり、被穿刺部位との当接信号または非当接信号を出力する。当接検知センサ２９は、冷却部２４ｂと被穿刺部位との当接状態を確実に検知可能であれば、その構造は特に限定されるものではなく、圧力センサ以外に、タッチセンサ、フォトセンサ、近接センサ、電流センサなどを例示することができる。当接検知センサ２９の配置は、特に限定されるものではないが、冷却部２４ｂに複数配置されていることが好ましく、それぞれ冷却部２４ｂの中央近傍に間隔をあけて配置されていることが好ましい。
【００１６】
支持体３０は、図２において下方が開口する平面視矩形状の筐体部３２と、筐体部３２の天板中央に連通するように接続された円筒部３４とを備えており、筐体部３２の内部に電極針１０が保持されている。筐体部３２は、互いに対向する一対の側壁の開口近傍にガイド溝３２ａが形成されている。冷却部材２０は、放熱ブロック２６がガイド溝３２ａに沿って摺動可能となるように支持体３０に支持されており、筐体部３２の開口を覆う閉止位置において各電極針１０の先端部１０ａが貫通孔２８に対向し、電極針１０を貫通孔２８に挿入可能な状態になる。ガイド溝３２ａには、端子部３２ｂ（図４参照）が設けられており、冷却部材２０が上記の閉止位置にあるときに、ペルチェ素子２２に対する通電を行うことができる。放熱ブロック２６からの放熱を良好にするため、筐体部３２は、メッシュ板や多孔板などから形成してもよく、あるいは、側壁の一部を切り欠いて形成してもよい。
【００１７】
駆動装置４０は、サーボモータ等からなる駆動モータ４２と、駆動モータ４２の回転数を検出するエンコーダ４４と、駆動モータ４２の回転により進退するロッド４６とを備えている。駆動モータ４２の回転軸４２ａにはシャフト４３が連結されており、シャフト４３の外周面にねじ部４３ａが形成されている。ロッド４６は、中空円筒状に形成されており、支持体３０の円筒部３４に摺動可能に収容されている。ロッド４６の内周面には、シャフト４３のねじ部４３ａに螺合するナット４６ａが固定されている。一方、ロッド４６の外周面には突部４６ｂが設けられており、円筒部３４の内周面に形成された溝部３４ａに突部４６ｂが係合することで、ロッド４６が回転不能とされている。駆動装置４０の上記構成により、ロッド４６は、駆動モータ４２の回転により図２の矢示Ｂ方向に進出させることが可能であり、エンコーダ４４の検出に基づいてロッド４６の進出量を制御することができる。
【００１８】
ロッド４６の先端側（図２の下端側）の外周面には係合凹部４６ｃが形成されており、ロッド４６をホルダ１２の凹部１２ａに嵌合させて係合凹部４６ｃを係合突起１２ｂに係合させることにより、ホルダ１２をロッド４６に着脱可能に固定することができる。こうして、ホルダ１２を駆動装置４０により押圧することができ、ロッド４６の進退により、図１に破線で示すように、電極針１０の先端部１０ａを冷却部２４ｂから出没させることができる。冷却部２４ｂの最下面からの電極針１０の突出量は、特に限定されるものではないが、例えば０．１〜１０ｍｍ程度に設定することができる。電極針１０が複数（例えば、２０〜３０針程度またはそれ以上）配置されている場合には、全ての電極針１０の突出量が上記の数値範囲内にあることが好ましい。また、ロッド４６の先端部には、ホルダ１２の装着時に各電極針１０に給電するための端子（図示せず）が設けられており、外部に設置した高周波発振器(図示せず）に各電極針１０が電気的に接続される。電極針１０は、人体に穿刺した状態で、人体表面に別途配置した表面電極（図示せず）との間に高周波電流を印加することができ、これによって電極針１０の近傍の生体組織を加熱することができる。電極針１０を複数設ける場合には、隣接する２つの電極針１０，１０の間に高周波電流が印加されるように構成することもできる。
【００１９】
電極針１０、冷却部材２０および駆動装置４０への通電は、支持体３０の円筒部３４に設けられた操作部５０のスイッチ操作により行うことができる。また、本実施形態の発汗抑制装置１は、パーソナルコンピュータ等の外部に設置可能な制御装置１００に接続することができ、電極針１０の突出量を制御装置１００に入力して、駆動装置４０の駆動制御を行うことができる。制御装置１００は、操作部５０に内蔵させることも可能であり、電極針１０の突出量を操作部５０の操作により設定するように構成することができる。当接検知センサ２９による当接状態（当接または非当接）の検知信号は、制御装置１００に入力される。
【００２０】
次に、上記の構成を備える発汗抑制装置１の使用方法を説明する。まず、電極針１０を備えるホルダ１２を、駆動装置４０のロッド４６に装着する。図４に示すように、冷却部材２０を支持体３０から退避させて筐体部３２の開口を開放した状態で、ホルダ１２を矢示Ｃ方向に挿入することにより、係合突起１２ｂと係合凹部４６ｃとを係合させて、ホルダ１２をロッド４６に固定することができる。ホルダ１２を装着する際の安全を確保するため、ホルダ１２には、破線で示すように電極針１０を覆うカバー部材１２ｃを予め取り付けておき、ホルダ１２の装着後にカバー部材１２ｃを取り外すようにしてもよい。この後、冷却部材２０を矢示Ｄ方向に閉止位置までスライドさせることにより、支持体３０の端子部３２ｂが冷却部材２０の端子部（図示せず）と係合して冷却部材２０に対する通電が行われると共に、冷却部材２０が位置決めされる。ロッド４６に対するホルダ１２の装着は、本実施形態のように嵌合させる代わりに、螺合等によって行うことも可能である。
【００２１】
ついで、図５（ａ）に示すように、冷却部材２０の冷却部２４ｂを、汗腺を含む被穿刺部位の表皮表面Ｓに密着させる。冷却部２４ｂと表皮表面Ｓとが密着すると、当接検知センサ２９から当接信号が制御装置１００に入力される。この状態で、操作部５０の操作により測定モードを選択すると、制御装置１００は、駆動装置４０の駆動モータ４２を回転させる。ロッド４６は、突部４６ｂが溝部３４ａと係合して回転不能な状態で、ナット４６ａがシャフト４３と螺合しているため、駆動モータ４２の回転量に応じて進出し、各電極針１０が冷却部２４ｂから徐々に突出する。
【００２２】
冷却部２４ｂからの電極針１０の突出量Ｌが大きくなるにつれて、電極針１０の先端は、表皮から真皮を経て皮下組織に侵入するが、皮下組織と筋層との間に存在する膜まで到達すると、電極針１０はこの膜を貫通できずに電極針１０の穿刺深さが一定に維持される。このように、穿刺深さが増加しない状態で電極針１０の突出量Ｌを更に増加すると、図５（ｂ）に示すように、表皮表面Ｓが下方に凸となるように湾曲して冷却部２４ｂから離れ、当接検知センサ２９がこれを検知して、非当接信号が制御装置１００に入力される。制御装置１００は、当接検知センサ２９からの検知信号に基づき、当接状態を判定する。当接検知センサ２９が冷却部２４ｂに複数配置されている場合、制御装置１００は、全ての当接検知センサ２９から被当接信号が入力されたときに、表皮表面Ｓが冷却部２４ｂから離れたことを判定することが好ましく、これによって、被穿刺部位の表面形状等によって冷却部２４ｂの全体を密着させることが困難な場合でも、検知精度を高めることができる。但し、制御装置１００は、単一の当接検知センサ２９の検出に基づいて、表皮表面Ｓが冷却部２４ｂから離れたことを判定するように構成してもよい。
【００２３】
制御装置１００は、表皮表面Ｓが冷却部２４ｂから離れたことを判定すると、駆動装置４０を停止させ、このときの電極針１０の突出量Ｌをエンコーダ４４の値から算出して、最大深さ情報としてメモリに格納する。この後、制御装置１００は、駆動モータ４２を逆回転させて電極針１０を被穿刺部位から引き抜く方向に移動させ、電極針１０の先端を冷却部２４ｂの上方に埋没させる。これにより、冷却部２４ｂは、表皮表面Ｓと再び密着した状態になる。電極針１０は、先端部１０ａが筋層まで到達せず皮下組織内に確実に留まるように、太さや押圧力が適宜設定されることが好ましい。
【００２４】
こうして取得された最大深さ情報は、被穿刺部位においてアポクリン腺などの汗腺が存在する深さ領域に対応しており、この深さ領域を予め把握することにより、使用者が操作部５０の操作により自動モードを選択したときに、効率の良い治療を行うことができる。
【００２５】
すなわち、制御装置１００は、自動モードが設定されると、最大深さ情報に基づいて、まず複数の加熱深さ位置を設定する。加熱深さ位置は、例えば、最大深さの値を予め定められた基準値と比較して決定された深さ間隔から求めることができる。具体的な一例を挙げると、最大深さが４ｍｍ以下である場合には、深さ間隔を０．４ｍｍとして、加熱深さ位置を、表皮表面から０．４ｍｍ、０．８ｍｍ、１．２ｍｍ、・・・の各深さ位置に設定する一方、最大深さが４ｍｍを超える場合には、深さ間隔を０．６ｍｍとして、加熱深さ位置を、表皮表面から０．６ｍｍ、１．２ｍｍ、１．８ｍｍ、・・・の各深さ位置に設定することができる。最大深さの基準値や深さ間隔は、上記の値に限定されるものではなく、それぞれを複数設定することも可能である。また、深さ間隔は、必ずしも一定である必要はなく、穿刺深さの増加と共に徐々に小さくなる（または大きくなる）ような設定でもよい。最大深さ情報や加熱深さ位置は、制御装置１００のモニタに出力する等して、使用者が把握できるようにしてもよい。
【００２６】
制御装置１００は、こうして複数の加熱深さ位置を決定した後、冷却部材２０に通電して冷却部２４ｂが密着する表皮表面Ｓを冷却しながら、電極針１０の先端部１０ａが各加熱深さ位置で停止するように駆動装置４０の駆動を制御し、各加熱深さ位置において、先端部１０ａから標的組織に対して熱エネルギーを順次供給する。これにより、被穿刺部位の深さ方向に沿って均一な加熱を行うことができ、この領域に存在する汗腺全体を効率良く確実に破壊することができる。電極針１０から供給する熱エネルギーは、深さ間隔に応じて変化させてもよく、深さ間隔が大きいほど、大きな熱エネルギーを供給するように構成してもよい。熱エネルギーの供給は、高周波、ラジオ波、マイクロ波、レーザなど種々のものを利用して行うことができる。表皮表面Ｓは、穿刺箇所の周囲が冷却部２４ｂの密着により冷却されるため、熱傷を防止できると共に、穿刺時および熱エネルギー供給時の鎮痛を良好にすることができる。なお、冷却部２４ｂを密着させる表皮表面Ｓに、予め麻酔クリームを塗布するようにしてもよい。冷却部２４ｂが表皮表面Ｓに冷却ガスを噴射する構成の場合、電極針１０を表皮表面Ｓに穿刺する直前に冷却ガスの噴射を開始することにより、良好な熱傷予防効果および鎮痛効果を得ることができる。
【００２７】
熱エネルギーが所定時間供給された後は、駆動装置４０の作動により電極針１０が上昇して再び筐体部３２に収容される。こうして、対象となる標的組織の治療が終了する。引き続き次の治療を行う場合には、冷却部材２０をガイド溝３２ａに沿って退避させ、ホルダ１２を新たなものに取り替えてから、治療を開始することができる。このように、ホルダ１２を着脱自在として取り替え可能に構成することで、電極針１０の滅菌処理が不要であり、迅速な治療を行うことができる。なお、冷却部材２０についても、ガイド溝３２ａから取り外して新たなものに交換することができる。
【００２８】
本実施形態の発汗抑制装置１は、被穿刺部位において汗腺が存在する可能性がある深さ領域を、最大深さ情報として予め取得することができるので、汗腺に対する熱エネルギーの供給を効率良く行うことができ、過剰な発汗を抑制するための治療を迅速且つ確実に行うことができる。本発明における発汗の抑制とは、発汗の量自体を低減する目的（例えば、多汗症治療）以外に、発汗が微量であっても発汗に伴う臭いを低減する目的（例えば、腋臭症（わきが）治療）も含まれる。
【００２９】
以上、本発明の一実施形態について詳述したが、本発明の具体的な態様は上記実施形態には限定されない。例えば、本実施形態においては、測定モードにより最大深さ情報を取得して、この最大深さ情報に基づき、自動モードにより加熱深さを自動的に設定して治療を行うように構成しているが、取得した最大深さ情報に基づいて、使用者が手動で加熱深さを適宜設定できるように構成してもよい。
【００３０】
また、支持体３０は、図６および図７に示すように、装着部３６と、この装着部３６に対して着脱可能なカートリッジ６０とを備える構成であってもよい。図６は、本発明の他の実施形態に係る発汗抑制装置の側面図であり、図７は図６のＡ−Ａ断面図である。図６および図７において、図１および図２に示す構成と同様の部分には同一の符号を付して、詳細な説明を省略する。
【００３１】
装着部３６は、筐体状に形成されており、上部に駆動装置４０が設けられ、下部にカートリッジ６０と係合する係合レール３６ａが設けられている。装着部３６の内部には円筒部３４が設けられており、図２に示す構成と同様に、円筒部３４の内部に駆動装置４０のシャフト４３およびロッド４６が収容されている。
【００３２】
カートリッジ６０は、カートリッジ本体６２の上面に係合レール３６ａと係合する係合溝６２ａが形成されており、カートリッジ６０を係合レール３６ａに沿って移動させることにより、装着部３６に対して着脱可能に装着することができる。装着部３６に対するカートリッジ６０の固定は、係合レール３６ａおよび係合溝６２ａにそれぞれ設けられた不図示の嵌合部同士の嵌合により行われる。
【００３３】
カートリッジ本体６２の内部には、複数の電極針１０を支持するホルダ１２が収容されている。ホルダ１２は、カートリッジ本体６２の内部に電極針１０を退避させるように、付勢手段としてのばね部材６４により付勢されている。カートリッジ本体６２の上部には、ロッド４６の先端部４６ｄが通過可能な挿通孔６２ａが形成されており、ロッド４６の進出により先端部４６ｄがホルダ１２を押圧可能に構成されている。カートリッジ本体６２の下部には、電極針１０が通過する貫通孔６２ｂが形成されている。
【００３４】
冷却部材２０は、装着部３６に支持アーム２１を介して支持されており、装着部３６と冷却部材２０との間にカートリッジ６０が配置される。支持アーム２１は、可撓性を有しており、装着部３６と冷却部材２０との間にカートリッジ６０を挟持することができる。支持アーム２１の内部には、冷却部材２０と操作部５０とを接続する配線や信号線などが収容される。冷却部材２０の貫通孔２８は、カートリッジ６０の貫通孔６２ｂと位置合わせされるように形成されている。貫通孔２８および貫通孔６２ｂの形状は特に限定されるものではない。
【００３５】
このような構成を備える発汗抑制装置１は、駆動装置４０の作動によりロッド４６が進出すると、図８に示すように、ばね部材６４の付勢力に抗してロッド４６の先端部４６ｄがホルダ１２を押圧し、電極針１０の先端部１０ａが貫通孔２８および貫通孔６２ｂを通過して、冷却部材２０から突出する。そして、標的組織の治療を行った後は、ロッド４６を後退させることにより、ばね部材６４に蓄積されていた付勢力によってホルダ１２が再び退避位置まで移動する。カートリッジ６０は、装着部３６に対して新たなものと交換することで、治療を迅速容易に行うことができる。
【００３６】
冷却部材２０は、可撓性を有する支持アーム２１により装着部３６に支持することで、冷却部材２０と装着部３６との間にカートリッジ６０を挟持することができ、貫通孔２８および貫通孔６２ｂの位置合わせを容易に行うことができる。但し、冷却部材２０は、カートリッジ６０に対して着脱可能に構成することもできる。
【００３７】
図６および図７に示す発汗抑制装置１においても、制御手段１００が上記と同様の制御を行うことにより、最大深さ情報を取得することができると共に、この最大深さ情報に基づいて複数の加熱深さ位置を設定し、それぞれの加熱深さ位置において電極針１０から熱エネルギーを供給することができる。
【符号の説明】
【００３８】
１  発汗抑制装置
１０  電極針
１０ａ  先端部
１２  ホルダ
２０  冷却部材
２１  支持アーム
２２  ペルチェ素子
２４  冷却板
２４ｂ  冷却部
２６  放熱ブロック
２８  貫通孔
２９  当接検知センサ
３０  支持体
３２  筐体部
３２ａ  ガイド溝
３４  円筒部
３６  装着部
４０  駆動装置
４２  駆動モータ
４４  エンコーダ
４６  ロッド
４６ａ  ナット
６０  カートリッジ
６４  付勢手段
１００  制御装置
【図１】
2017086096.tif 000003
【図２】
2017086096.tif 000004
【図３】
2017086096.tif 000005
【図４】
2017086096.tif 000006
【図５】
2017086096.tif 000007
【図６】
2017086096.tif 000008
【図７】
2017086096.tif 000009
【図８】
2017086096.tif 000010